(57)【要約】【課題】  煩雑な操作を行うことなく、撮影時のユーザの感覚に合わせた画像を容易に取得することを目的とする。【解決手段】  被写体像を撮像し、画像信号を出力する撮像部と、前記撮像部による撮像を指示することが可能であるとともに前記撮像部により出力される前記画像信号に基づく画像に対する画像処理条件を決定することが可能な第１操作部と、前記第１操作部の操作により決定された前記画像処理条件に基づいた設定値を設定する設定部とを備える撮像装置。【選択図】      図１
2011228901.tif 000002
【特許請求の範囲】
【請求項１】
被写体像を撮像し、画像信号を出力する撮像部と、
前記撮像部による撮像を指示することが可能であるとともに前記撮像部により出力される前記画像信号に基づく画像に対する画像処理条件を決定することが可能な第１操作部と、
前記第１操作部の操作により決定された前記画像処理条件に基づいた設定値を設定する設定部と
を備えることを特徴とする撮像装置。
【請求項２】
請求項１に記載の撮像装置において、
前記設定部は、前記第１操作部の操作時間に応じて変更される前記画像処理条件に基づいて、前記設定値を設定することを特徴とする撮像装置。
【請求項３】
請求項１又は請求項２に記載の撮像装置において、
前記設定部は、前記設定値を所定の基準値から、前記第１操作部の操作に基づいた値に変更することを特徴とする撮像装置。
【請求項４】
請求項１から請求項３のいずれか１項に記載の撮像装置において、
さらに、
前記設定部により設定された前記設定値を用いて、前記撮像部により出力される前記画像に対する画像処理を実行する画像処理部を備えることを特徴とする撮像装置。
【請求項５】
請求項４に記載の撮像装置において、
さらに、
前記画像処理部により画像処理が施された画像処理後画像と、該画像処理に用いた設定値とを表示する表示部を備えることを特徴とする撮像装置。
【請求項６】
請求項４又は請求項５に記載の撮像装置において、
前記画像処理条件は、種類の異なる複数の画像処理のそれぞれに対する処理条件から構成され、
前記設定部は、前記第１操作部の操作に基づいて、前記複数の画像処理のそれぞれに対する処理条件に基づいた設定値を設定することを特徴とする撮像装置。
【請求項７】
請求項６に記載の撮像装置において、
前記設定部は、前記画像処理時における前記複数回の前記第１操作部の押下操作に基づいて、前記複数の画像処理のそれぞれに対する処理条件を設定することを特徴とする撮像装置。
【請求項８】
請求項１から請求項５のいずれか１項に記載の撮像装置において、
さらに、
前記複数の画像処理のうち少なくとも１種類の画像処理に対する処理条件を決定可能な前記第１操作部とは異なる第２操作部を備え、
前記設定部は、前記第２操作部の操作より決定された前記処理条件に基づいた設定値を設定することを特徴とする撮像装置。
【請求項９】
請求項１から請求項８のいずれか１項に記載の撮像装置において、
前記設定値は、明るさ、彩度、コントラスト、色合い、ホワイトバランス、輪郭強調の少なくともいずれか1つの調整時に用いる設定値であることを特徴とする撮像装置。
【請求項１０】
請求項３に記載の撮像装置において、
さらに、
前記所定の基準値の指定を受け付ける受付部を備えることを特徴とする撮像装置。
【請求項１１】
請求項４に記載の撮像装置において、
さらに、
前記画像処理部により画像処理が施された記録用画像と、前記記録用画像に施した画像処理に用いた前記設定値とを関連付けて記録媒体へ記録させる記録制御部とを備えることを特徴とする撮像装置。
【請求項１２】
請求項１に記載の撮像装置において、
さらに、
前記撮像部により出力される前記画像信号に基づく記録用画像と、前記設定部により設定される前記設定値とを関連付けて記録媒体へ記録させる記録制御部とを備え、
前記記録用画像は前記設定値による画像処理が施されていない画像であることを特徴とする撮像装置。
【発明の詳細な説明】
【技術分野】
【０００１】
本発明は、画像を取得する撮像装置に関する。
【背景技術】
【０００２】
従来から、デジタルカメラに代表される撮像装置においては、画像の明るさや鮮やかさ等、撮影時の環境に合わせた画像を取得するために、撮影前に撮影条件を設定し、撮像時に得られた画像に対して、設定された撮像条件に基づいた画像処理条件を用いた画像処理が実行される。例えば、特許文献１では、撮影直前のレリーズ釦の操作により露出補正値やシャッタースピード、絞り値等を設定することで、ユーザの感覚に合わせた撮影条件に設定することが考案されている。
【先行技術文献】
【特許文献】
【０００３】
【特許文献１】特開２００７−３２２６９４号公報
【発明の概要】
【発明が解決しようとする課題】
【０００４】
しかしながら、レリーズ釦の押下したときの移動量（押下量）は、一般的に数ミリ程度しかないため、その範囲で露出補正値やシャッタースピード、絞り値等を任意の値に設定することは至難の業であり、このようなレリーズ釦の操作によって撮影条件を設定していると、ユーザの所望するタイミングでの撮影ができずに、ユーザの所望する画像を取得することができなくなる。
【０００５】
そこで、本発明の撮像装置は、煩雑な操作を行うことなく、撮影時のユーザの感覚に合わせた画像を容易に取得することを目的とする。
【課題を解決するための手段】
【０００６】
本発明の撮像装置は、被写体像を撮像し、画像信号を出力する撮像部と、前記撮像部による撮像を指示することが可能であるとともに前記撮像部により出力される前記画像信号に基づく画像に対する画像処理条件を決定することが可能な第１操作部と、前記第１操作部の操作により決定された前記画像処理条件に基づいた設定値を設定する設定部とを備える。
【発明の効果】
【０００７】
本発明の撮像装置によれば、煩雑な操作を行うことなく、撮影時のユーザの感覚に合わせた画像を容易に取得することができる。
【図面の簡単な説明】
【０００８】
【図１】第１実施形態における撮像装置１０の構成を示すブロック図である。
【図２】第１実施形態における撮像時の流れを説明するフローチャートである。
【図３】（Ａ）プレビュー画像Ｐ１の表示例を示す図である。（Ｂ）プレビュー画像Ｐ２の表示例を示す図である。（Ｃ）プレビュー画像Ｐ３の表示例を示す図である。
【図４】第３実施形態における撮像装置１０の構成を示すブロック図である。
【図５】第３実施形態における撮像時の流れを説明するフローチャートである。
【図６】色相補正値を２軸で設定する場合の表示部１５の例を示す図である。
【発明を実施するための形態】
【０００９】
（第１実施形態）
以下、図面を用いて本発明の実施形態について説明する。図１は、第１実施形態における撮像装置１０の構成を示すブロック図である。図１に示すように、撮像装置１０は、撮像レンズ１１、撮像素子１２、Ａ／Ｄ変換部１３、バッファメモリ１４、表示部１５、フラッシュＲＡＭ１６、記録Ｉ／Ｆ部１７、記録媒体１８、操作部１９、ＣＰＵ２０、バス２１を備える。
【００１０】
撮像レンズ１１は、撮像素子１２の結像面に被写体像を結像する。撮像素子１２は、撮像レンズ１１を通過した被写体光を光電変換し、Ｒ、Ｇ、Ｂの各色に対応するアナログ画像信号を出力する。撮像素子１２から出力される画像信号は、Ａ／Ｄ変換部１３に入力される。Ａ／Ｄ変換部１３は、撮像素子１２から出力されるアナログの画像信号をデジタルの画像信号に変換する。なお、このデジタルの画像信号は、１コマにまとめられ、画像データとしてバッファメモリ１４に記録される。以下、Ａ／Ｄ変換され、１コマにまとめられた画像データをＲＡＷ画像データと称する。バッファメモリ１４は、後述する画像処理部２６による画像処理の前工程や後工程で画像データを一時的に記録する。
【００１１】
表示部１５は、各種の画像を表示する。表示部１５に表示される各種の画像は、撮像により取得した画像、後述するプレビュー画像、メニュー画像、後述する記録媒体１８に記録された画像等である。フラッシュＲＡＭ１６は、撮像装置１０の各種動作制御のためのプログラムなどを記憶している。記録Ｉ／Ｆ部１７は、記録媒体１８を接続するためのコネクタを備えている。この記録Ｉ／Ｆ部１７と記録媒体１８とが接続されることにより、記録媒体１８に対してデータの書き込み／読み出しが実行される。
【００１２】
操作部１９は、レリーズ釦２２、キャンセル釦２３、十字キー２４等を有する。レリーズ釦２２は、その半押し操作時にＡＥ演算やＡＦ演算が実行される。また、レリーズ釦２２は、その全押し操作時に撮像に係る処理が行われ、この撮像に係る処理と同時に、その全押し操作が維持される時間に応じて後述する現像パラメータが設定される。キャンセル釦２３は、レリーズ釦２２により設定された現像パラメータをキャンセルする際に操作される。十字キー２４は、上記のメニュー画像等で操作される。なお、レリーズ釦２２、キャンセル釦２３、十字キー２４の状態はＣＰＵ２０により検知され、検知された釦やキーの状態に基づいたシーケンスが実行される。
【００１３】
ＣＰＵ２０は、所定のシーケンスプログラムにしたがって、撮像装置１０の統括的な制御を行うとともに、撮像時に必要となる各種演算（ＡＦ演算、ＡＥ演算等）を実行する。また、ＣＰＵ２０は、設定部２５、画像処理部２６を備える。
【００１４】
設定部２５は、撮像時、レリーズ釦２２の全押し操作時間に応じて、現像パラメータを設定する。現像パラメータとしては、露出補正値が挙げられる。例えば、露出補正値は、−３、−２、−１、０、＋１、＋２、＋３ＥＶで示される。なお、ＡＥ演算により算出された露出補正値を０とする。この露出補正値は、初期値として−３ＥＶが予め設定されている。詳細は後述するが、設定部２５は、レリーズ釦２２の全押し操作が開始してから、レリーズ釦２２の全押し操作が終了する間、時間t秒が経過する毎に露出補正値を１段階ずつ高く設定する。このため、露出補正値は、「＋」側にのみ、１段階或いは複数段階変更され、「−」側には変更されない。つまり、ユーザが露出補正値を「−」側に補正したい場合に対応がとれないため、露出補正値は、ＡＥ演算から求められる露出補正値よりもマイナス（−）側の値を初期値として設定している。また、設定部２５は、キャンセル釦２３が操作されると、上記で設定した露出補正値を初期値に戻す。
【００１５】
画像処理部２６は、バッファメモリ１４に記録された画像データに対して画像処理を施す。なお、この画像処理としては、周知の解像度変換処理、ホワイトバランス調整、明るさ調整、色補間、階調変換処理、輪郭強調処理等が挙げられる。また、画像処理部２６は、ＪＰＥＧ（Joint Photographic Experts Group）形式等で圧縮する処理や、圧縮された上記のデータを伸長復元する処理をも実行する。以下、ＲＡＷ画像データに対して実行される解像度変換処理、画像処理及び圧縮処理を含む処理を現像処理と称する。
【００１６】
また、画像処理部２６は、撮像時に、参照用のプレビュー画像を生成する。まず、画像処理部２６は、ＲＡＷ画像データに解像度変換処理を施し、ＲＡＷ画像データの解像度よりも低い解像度のＲＡＷ画像データを生成する。次に、画像処理部２６は、解像度変換処理後のＲＡＷ画像データに基づいて、設定部２５が設定した露出補正値となるプレビュー画像を生成する。
【００１７】
バス２１は、バッファメモリ１４、表示部１５、フラッシュＲＡＭ１６、記録Ｉ／Ｆ部１７、ＣＰＵ２０を相互に接続することにより、データや信号の出入力を実行する。
【００１８】
次に、図２のフローチャートを用いて、第１実施形態における撮像時の流れを説明する。なお、図２のフローチャートは、撮像時にレリーズ釦２２が半押し操作されたことを契機に実行される。
【００１９】
ステップＳ１０１は、レリーズ釦２２が全押し操作されたか否かを判定する処理である。ＣＰＵ２０は、レリーズ釦２２が全押し操作された場合（ステップＳ１０１の判定がＹＥＳとなる場合）には、ステップＳ１０２に進む。一方、ＣＰＵ２０は、レリーズ釦２２が全押し操作されていない場合（ステップＳ１０１の判定がＮＯとなる場合）には、レリーズ釦２２が全押し操作されるまで待機する。
【００２０】
ステップＳ１０２は、ＲＡＷ画像データを生成する処理である。撮像素子１２、Ａ／Ｄ変換部１３は、ＲＡＷ画像データを生成する。なお、このＲＡＷ画像データはバッファメモリ１４に書き込まれる。
【００２１】
ステップＳ１０３は、解像度変換処理を施す処理である。画像処理部２６は、バッファメモリ１４に書き込まれたＲＡＷ画像データを読み出し、読み出したＲＡＷ画像データに解像度変換処理を施す。なお、解像度変換処理が施されたＲＡＷ画像データは再度バッファメモリ１４に書き込まれる。
【００２２】
ステップＳ１０４は、プレビュー画像Ｐ１を生成する処理である。まず、設定部２５は、露出補正値の初期値−３ＥＶを設定する。次に、画像処理部２６は、バッファメモリ１４に書き込まれた解像度変換処理済みのＲＡＷ画像データを読み出して、該ＲＡＷ画像データに画像処理を施す。これにより、プレビュー画像Ｐ１の元になる画像データ（プレビュー画像データ）が生成される。
【００２３】
ステップＳ１０５は、プレビュー画像Ｐ１を表示する処理である。例えば、表示部１５は、プレビュー画像Ｐ１、露出補正値を示すバー３０をそれぞれ表示する。なお、このプレビュー画像Ｐ１における露出補正値は初期値−３ＥＶであるため、露出補正値を示すバー３０においては、露出補正値−３ＥＶを示す「−３」にカーソル３１を合わせた状態となる。
【００２４】
ステップＳ１０６は、レリーズ釦２２の全押し操作が維持されているか否かを判定する処理である。ＣＰＵ２０は、レリーズ釦２２の全押し操作が維持されている場合（ステップＳ１０６の判定がＹＥＳとなる場合）には、ステップＳ１０７に進む。一方、ＣＰＵ２０は、レリーズ釦２２の全押し操作が維持されていない場合（ステップＳ１０６の判定がＮＯとなる場合）には、後述するステップＳ１１０に進む。
【００２５】
ステップＳ１０７は、レリーズ釦２２の全押し操作が開始してから時間ｔ秒が経過したか否かを判定する処理である。ＣＰＵ２０は、時間ｔ秒が経過した場合（ステップＳ１０７の判定がＹＥＳとなる場合）には、ステップＳ１０８に進む。一方、ＣＰＵ１０は、時間ｔ秒が経過していない場合（ステップＳ１０７の判定がＮＯとなる場合）には、ステップＳ１０５に戻り、プレビュー画像Ｐ１の表示を継続する。
【００２６】
上述したステップＳ１０７において、レリーズ釦２２の全押し操作が開始してから時間ｔ秒が経過したと判定された場合、ステップＳ１０８に進む。ステップＳ１０８は、１段階上の露出補正値となるプレビュー画像を生成する処理である。まず、設定部２５は、露出補正値を現在の設定から１段高く設定する。次に、画像処理部２６は、解像度変換処理後のＲＡＷ画像データに基づいて、設定部２５が設定した露出補正値となるプレビュー画像を生成する。例えば、露出補正値が初期値−３ＥＶに設定されている場合、設定部２５は、露出補正値を−３ＥＶから−２ＥＶに設定し直す。これを受けて、画像処理部２６は、解像度変換処理が施されたＲＡＷ画像データをバッファメモリ１４から読み出し、プレビュー画像Ｐ２を生成する。
【００２７】
ステップＳ１０９は、１段階上の露出補正値となるプレビュー画像を表示する処理である。表示部１５は、現在表示しているプレビュー画像を、ステップＳ１０８で生成したプレビュー画像に差し替えて表示する。また、表示部１５は、現在表示しているバー３０のカーソル３１を１段階上げた位置に移動させる。これにより、露出補正値を１段階上げたプレビュー画像Ｐ２が新たに表示される。このステップＳ１０９の後、ステップＳ１０６に戻る。つまり、レリーズ釦２２が継続して全押し操作されている場合には、時間ｔ秒が経過する度に露出補正値が１段階上げたプレビュー画像が生成され、表示部１５に表示される。
【００２８】
一方、上述したステップＳ１０６において、レリーズ釦２２の全押し操作が維持されていないと判定された場合には、ステップＳ１１０に進む。ステップＳ１１０は、キャンセル釦２３が操作されていないかを判定する処理である。ＣＰＵ２０は、キャンセル釦２３が操作されていない場合（ステップＳ１１０の判定がＹＥＳとなる場合）には、ステップＳ１１１に進む。一方、ＣＰＵ２０は、キャンセル釦２３が操作された場合（ステップＳ１１０の判定がＮＯとなる場合）には、ステップＳ１０４に戻り、設定部２５の露出補正値を初期値に戻すとともに、表示部１５にプレビュー画像Ｐ１を表示する。なお、プレビュー画像Ｐ１をバッファメモリ１４に記憶している場合は、再度プレビュー画像Ｐ１を生成する必要はない。そのため、このような場合は、ＣＰＵ２０は、ステップＳ１０４ではなく、ステップＳ１０５に戻り、記憶されているプレビュー画像Ｐ１を読み出し、表示部１５に表示させればよい。
【００２９】
ステップＳ１１０において、キャンセル釦２３が操作されていないと判定された場合には、ステップＳ１１１に進む。このステップＳ１１１は、現像処理を施す処理である。画像処理部２６は、ステップＳ１０８で設定した露出補正値を用いて、バッファメモリ１４に記憶されたＲＡＷ画像データに現像処理を施す。
【００３０】
ステップＳ１１２は、現像処理後の画像データを記録する処理である。ＣＰＵ２０は、現像処理後の画像データを記録媒体１８に記録し、一連の処理を終了する。なお、ＣＰＵ２０は、画像のＥｘｉｆ情報（付帯情報）に、ステップＳ１１１で用いた露出補正値を記録媒体１８に記録してもよい。また、ＣＰＵ２０は、露出補正値を付帯情報として記録する代わりに、現像処理後の画像データと関連付けて露出補正値を別のファイルとして記録媒体１８に記録してもよい。
【００３１】
図３は、レリーズ釦２２の全押し操作が維持されたときのプレビュー画像の表示の一態様を示す。例えば、レリーズ釦２２が操作されると、撮影に係る処理が実行される。撮影に係る処理が実行された直後においては、露出補正値は初期値である−３ＥＶに設定されるため、露出補正値−３ＥＶを用いた画像処理によりプレビュー画像Ｐ１が生成される。これにより、レリーズ釦２２が全押し操作された後の時間Ｔ１において、プレビュー画像Ｐ１が表示される（図３（Ａ）参照）。このとき、露出補正値を示すバー３０においては、露出補正値−３ＥＶに対応する「−３」にカーソル３１を合わせた状態で表示される。なお、図３に示すように、表示部１５においては、露出補正値を「明るさ」と表示している。
【００３２】
レリーズ釦２２の全押し操作が維持されたまま時間t秒経過した時間Ｔ２（Ｔ２＝Ｔ１＋ｔ）のタイミングで、露出補正値が−３ＥＶから１段階上げた−２ＥＶに設定し直され、露出補正値−２ＥＶを用いた画像処理により生成されたプレビュー画像Ｐ２が表示部１５に表示される（図３（Ｂ）参照）。このとき、露出補正値を示すバー３０においては、露出補正値−２ＥＶに対応する「−２」にカーソル３１を合わせた状態で表示される。
【００３３】
さらにレリーズ釦２２の全押し操作が維持されたまま時間ｔ秒経過した時間Ｔ３（Ｔ３＝Ｔ２＋ｔ）のタイミングで、露出補正値が−２ＥＶから１段階上げた−１ＥＶに設定し直され、露出補正値−１ＥＶを用いた画像処理により生成されたプレビュー画像Ｐ３が表示部１５に表示される（図３（Ｃ）参照）。このとき、露出補正値を示すバー３０においては、露出補正値−１ＥＶに対応する「−１」にカーソル３１を合わせた状態で表示される。
【００３４】
以上説明したように、第１実施形態の撮像装置１０は、撮影時に伴うレリーズ釦２２の全押し操作を、そのまま維持（継続）し、その維持した時間に応じて、露出補正値を変更していく。また、撮像装置１０は、この露出補正値の変更に合わせて、変更された露出補正値に基づいたプレビュー画像を表示する。そのため、ユーザは、プレビュー画像を参照しながら、ユーザ自身の感覚に合わせた露出補正値を設定することができる。なお、ユーザは、レリーズ釦２２の全押し操作の維持を終了するだけで、最終的な露出補正値を設定することができる。
【００３５】
したがって、第１実施形態の撮像装置１０によれば、煩雑な操作を行うことなく、撮影時のユーザの感覚に合わせた画像を容易に取得することができる。
【００３６】
なお、第１実施形態では、現像パラメータとして、露出補正値を設定する例を示したが、これに限らない。例えば、彩度補正値、コントラスト補正値、輪郭強調補正値、ホワイトバランス補正値、色相補正値を設定することも可能である。
【００３７】
例えば、彩度補正値は、−３、−２、−１、０、＋１、＋２、＋３で示される。なお、画像処理部２６により適正とされた彩度補正値を０とする。また、数値が高いほど、彩度は高くなる。この彩度補正値は、初期値として−３が予め設定されている。この場合も、第１実施形態と同様に、設定部２５は、レリーズ釦２２の全押し操作が開始されてから、レリーズ釦２２の全押し操作が終了するまで、時間t秒が経過する毎に、彩度補正値を１段階上げて設定し直す。コントラスト補正値、輪郭強調補正値についても同様であるため、その説明を省略する。
【００３８】
また、ホワイトバランス補正値は、オートホワイトバランス補正値の他に、プリセットホワイトバランス補正値、電球下（約３０００Ｋ）での撮像に適したホワイトバランス補正値、蛍光灯下（約４２００Ｋ）での撮像に適したホワイトバランス補正値、晴天下（約５２００Ｋ）での撮像に適したホワイトバランス補正値、ストロボ光下（約５４００Ｋ）での撮像に適したホワイトバランス補正値、曇天下（約６０００Ｋ）での撮像に適したホワイトバランス補正値、晴天日陰下（約８０００Ｋ）での撮像に適したホワイトバランス補正値が挙げられる。この場合、色温度が最も低い、電球下での撮像に適したホワイトバランス補正値を初期値とする。設定部２５は、レリーズ釦２２の全押し操作が開始されてから、レリーズ釦２２の全押し操作が終了するまで、時間t秒が経過する毎に、１段階、色温度が高い光源下での撮像に適したホワイトバランス補正値に設定し直す。
【００３９】
また、色相補正値は、−３、−２、−１、０、＋１、＋２、＋３で示される。なお、画像処理部２６により適正とされた色相補正値を０とする。この色相補正値は、初期値として−３が予め設定されている。また、数値が高いほど赤みが強くなり、数値が低いほど黄色みが強くなる。この場合も、第１実施形態と同様に、設定部２５は、レリーズ釦２２の全押し操作が開始されてから、レリーズ釦２２の全押し操作が終了するまで、時間t秒が経過する毎に、色相補正値を１段階上げて設定し直す。
【００４０】
また、現像パラメータとして、露出補正値の他に、彩度補正値、コントラスト補正値、輪郭強調補正値、ホワイトバランス補正値、色相補正値など、複数の補正値を設定できるようにした場合、ユーザから十字キー２４を介して、対象となる補正値の設定を行うか否かの選択を受け付けるようにしてもよい。
【００４１】
また、第１実施形態では、レリーズ釦２２の全押し操作が維持される時間に応じて、露出補正値を高く設定する例を示したが、レリーズ釦２２の全押し操作が維持される時間に応じて、露出補正値を低く設定してもよい。また、レリーズ釦２２の全押し操作が終了した後、再度レリーズ釦２２の全押し操作が開始した場合は、レリーズ釦２２の全押し操作が維持される時間に応じて、露出補正値を低く設定してもよい。この場合、再度レリーズ釦２２の全押し操作が開始されてから、レリーズ釦２２の全押し操作が終了する間、時間t秒が経過する毎に、露出補正値を１段階下げて設定し直せばよい。
【００４２】
また、第１実施形態では、キャンセル釦２３が操作された場合、露出補正値を初期値−３ＥＶに戻す例を示したが、これに限らず、現在設定されている露出補正値を１段階下げてもよい。
（第２実施形態）
第１実施形態では、１つの現像パラメータを設定する例を示した。第２実施形態では、複数の現像パラメータのうち、少なくとも２つの現像パラメータを同時に設定する例を示す。なお、第２実施形態における撮像装置の構成については、図１に示す第１実施形態の撮像装置１０と共通するので、重複説明は省略する。第２実施形態の設定部２５は、上述したように、複数の現像パラメータを同時に設定する。例えば、現像パラメータとしては、露出補正値、彩度補正値、コントラスト補正値、輪郭強調補正値、ホワイトバランス補正値、色相補正値が挙げられる。
【００４３】
この場合、予めメニュー画像にこれらの現像パラメータを表示した後、ユーザによる十字キー２４の操作を受けて、設定する複数の現像パラメータを選択する。そして、設定部２５は、第１実施形態と同様の処理を行い、レリーズ釦２２の全押し操作時間に応じて、選択を受け付けた複数の現像パラメータを同時に併行して設定する。
【００４４】
以上説明したように、第２実施形態の撮像装置１０は、レリーズ釦２２の全押し操作時間に応じて、複数の現像パラメータを同時に設定する。したがって、第２実施形態の撮像装置１０によれば、第１実施形態と同様の効果を得ることができる。
【００４５】
なお、ＣＰＵ２０は、複数の現像パラメータを、同時に併行して設定することなく、レリーズ釦２２が全押し操作される毎に、それぞれの全押し操作時間に応じて、順番に設定してもよい。また、レリーズ釦２２の全押し操作を維持しながら、現像パラメータを切り替える釦として十字キー２４等を操作することにより、複数の現像パラメータを順番に設定してもよい。
【００４６】
また、複数回の全押し操作により複数の現像パラメータを順番に切替えてもよい。例えば、ＣＰＵ２０により、１回目のレリーズ釦２２の全押し操作後の所定時間以内に２回目のレリーズ釦２２の全押し操作が判定された場合に、現像パラメータを切替えるように構成しても良い。この場合は、１回目のレリーズ釦２２の全押し操作により１つ目の種類の現像パラメータを設定でき、２回目のレリーズ釦２２の全押し操作により1回目とは異なる２つ目の種類の現像パラメータを設定できる。なお、３回以上のレリーズ釦２２の全押し操作により、３種類以上の現像パラメータを設定できるように構成してもよい。
（第３実施形態）
第３実施形態では、複数の現像パラメータと複数の操作釦とを予め対応付けておき、撮像時に、それら操作釦のいずれかを操作し続けることによって、対応する現像パラメータを設定する場合について説明する。
【００４７】
図４は、第３実施形態における撮像装置１０の構成を示すブロック図である。図４に示すように、第３実施形態における撮像装置の構成は、操作部１９を除いて、図１に示す第１実施形態の撮像装置１０と共通するので重複説明は省略する。第３実施形態の操作部１９は、レリーズ釦２２、キャンセル釦２３、十字キー２４の他に、第１操作釦２７、第２操作釦２８、第３操作釦２９、第４操作釦３０、第５操作釦３１を備える。
【００４８】
各操作釦と、それぞれの操作釦に対応付けられた現像パラメータの一例を以下に示す。レリーズ釦２２は露出補正値を、第１操作釦２７は彩度補正値を設定する際にそれぞれ操作される。また、第２操作釦２８はコントラスト補正値を、第３操作釦２９は輪郭強調補正値を設定する際にそれぞれ操作される。また、第４操作釦３０はホワイトバランス補正値を、第５操作釦３１は色相補正値を設定する際にそれぞれ操作される。この場合のそれぞれの操作釦の操作時間に応じて、各補正値が設定される。キャンセル釦２３は、レリーズ釦２２、及び第１操作釦２７から第５操作釦３１により設定された現像パラメータをキャンセルする際に操作される。なお、第１操作釦２７から第５操作釦３１は、撮像装置１０を把持する指の可動範囲内に設けられることが好ましい。
【００４９】
次に、図５のフローチャートを用いて、第３実施形態における撮像時の流れを説明する。
【００５０】
ステップＳ３０１は、図２のフローチャートのステップＳ１０１と同様の処理である。
【００５１】
ステップＳ３０２は、操作され続けている操作釦を検出する処理である。ＣＰＵ２０は、第１操作釦２７から第５操作釦３１のうち、ステップＳ３０１でレリーズ釦２２の全押し操作が開始してから、操作され続けている操作釦を検出する。例えば、ＣＰＵ２０は、操作され続けている操作釦として、第１操作釦２７を検出する。これを受けて、設定部２５は、設定する現像パラメータとして、彩度補正値を設定する。
【００５２】
ステップＳ３０３からステップＳ３０４は、図２のフローチャートのステップＳ１０２からステップＳ１０３と同様の処理である。
【００５３】
ステップＳ３０５は、プレビュー画像を生成する処理である。まず、設定部２５は、ステップＳ３０２で検出された釦に対応付けられた現像パラメータの初期値を設定する。次に、画像処理部２６は、バッファメモリ１４に書き込まれた解像度変換処理済みのＲＡＷ画像データを読み出して、該ＲＡＷ画像データに画像処理を施す。例えば、設定部２５は、露出補正値の初期値−３ＥＶ、彩度補正値の初期値−３を設定する。これを受けて、画像処理部２６は、解像度変換処理が施されたＲＡＷ画像データをバッファメモリ１４から読み出し、露出補正値−３ＥＶ、彩度補正値−３となるプレビュー画像を生成する。
【００５４】
ステップＳ３０６は、プレビュー画像を表示する処理である。表示部１５は、ステップＳ３０５で生成されたプレビュー画像を表示する。また、表示部１５は、露出補正値を示すバー３０、彩度補正値を示すバーを表示する。このとき、露出補正値を示すバー３０においては、露出補正値−３ＥＶに対応する「−３」にカーソル３１を合わせた状態で表示される。また、彩度補正値を示すバーにおいては、彩度補正値−３に対応する「−３」にカーソルを合わせた状態で表示される。
【００５５】
ステップＳ３０７は、レリーズ釦２２及びステップＳ３０２で検出された操作釦のうち少なくともいずれか１つの操作が維持されているか否かを判定する処理である。ＣＰＵ２０は、操作が維持されている場合（ステップＳ３０７の判定がＹＥＳとなる場合）には、ステップＳ３０８に進む。一方、ＣＰＵ２０は、操作が維持されていない場合（ステップＳ３０７の判定がＮＯとなる場合）には、ステップＳ３１１に進む。例えば、ＣＰＵ２０は、露出補正値及び彩度補正値を設定する場合、レリーズ釦２２と第１操作釦２７とを、操作が維持されている操作釦として検出する。このような場合、ステップＳ３０７の判定がＹＥＳとなり、ステップＳ３０８に進む。
【００５６】
ステップＳ３０８は、レリーズ釦２２の全押し操作が開始してから時間ｔ秒が経過したか否かを判定する処理である。ＣＰＵ２０は、時間ｔ秒が経過した場合（ステップＳ３０８の判定がＹＥＳとなる場合）には、ステップＳ３０９に進む。一方、ＣＰＵ１０は、時間ｔ秒が経過していない場合（ステップＳ３０８の判定がＮＯとなる場合）には、ステップＳ３０６に戻り、ステップＳ３０５で生成されたプレビュー画像の表示を継続する。
【００５７】
上述したステップＳ３０８において、レリーズ釦２２の全押し操作が開始してから時間ｔ秒が経過したと判定された場合、ステップＳ３０９に進む。ステップＳ３０９は、１段階上の補正値となるプレビュー画像を生成する処理である。まず、設定部２５は、ステップＳ３０７で操作が維持されていると判定された釦に対応する現像パラメータの補正値を現在の設定から１段階高く設定する。次に、画像処理部２６は、解像度変換処理後のＲＡＷ画像データに基づいて、設定部２５が設定した補正値となるプレビュー画像を生成する。例えば、レリーズ釦２２の全押し操作及び第１操作釦２７の操作が維持されている場合、設定部２５は、露出補正値を−３ＥＶから−２ＥＶに設定し直すとともに、彩度補正値を−３から−２に設定し直す。これを受けて、画像処理部２６は、解像度変換処理が施されたＲＡＷ画像データをバッファメモリ１４から読み出し、露出補正値−２ＥＶ、彩度補正値−２となるプレビュー画像を生成する。
【００５８】
ステップＳ３１０は、１段階上の補正値となるプレビュー画像を表示する処理である。例えば、表示部１５は、現在表示しているプレビュー画像を、ステップＳ３０９で生成されたプレビュー画像に差し替えて表示する。また、表示部１５は、露出補正値を示すバー３０のカーソル３１を１段階上げた位置に移動させるとともに、彩度補正値を示すバーのカーソルを１段階上げた位置に移動させる。このようにして、ステップＳ３０７からステップＳ３１０の処理が繰り返されることで、表示部１５には新たな補正値を用いて生成されたプレビュー画像が順次表示される。これにより、ユーザは、表示部１５に表示されるプレビュー画像を参照しながら、プレビュー画像が所望の明るさになったときに、レリーズ釦２２の全押し操作の維持を終了し、プレビュー画像が所望の鮮やかさになったときに、第１操作釦２７の操作の維持を終了する。
【００５９】
ステップＳ３１１からステップＳ３１３は、図２のフローチャートのステップＳ１１０からステップＳ１１２と同様の処理である。
【００６０】
以上説明したように、第３実施形態の撮像装置１０は、レリーズ釦２２、及び第１操作釦２７から第５操作釦３１が押されている時間に応じて、複数の現像パラメータを設定する。したがって、第３実施形態の撮像装置１０によれば、第１実施形態と同様の効果を得ることができる。
【００６１】
なお、第３実施形態では、レリーズ釦２２及び第１操作釦２７から第５操作釦３１で設定する現像パラメータの種類を予め決定しておく例を示したが、ユーザが決定できるようにしてもよい。また、圧力の大きさを感知できる圧力センサを備えるグリップを用いてもよい。この場合、設定部２５は、グリップが感知した圧力が所定値以上となる時間に応じて、撮像パラメータを設定する。
【００６２】
また、第１実施形態から第３実施形態では、現像処理後の画像データと現像パラメータとを記録媒体１８に記録する例を示したが、これに限らない。例えば、ＲＡＷ画像データに現像処理を施すことなく、ＲＡＷ画像データと現像パラメータとを記録媒体１８に記録する。この場合も、現像パラメータは記録されるので、撮像後にＰＣなどでＲＡＷ画像データに現像処理を施す際に、撮像時のユーザの感覚を画像に反映させることができる。
【００６３】
また、第１実施形態から第３実施形態では、プレビュー画像を記録媒体１８に記録するか否かについて述べていないが、表示部１５に表示したプレビュー画像を付帯情報に記録してもよい。また、プレビュー画像の画像データサイズを変換したサムネイル画像を付帯情報に記録してもよい。また、画像データサイズを変換する処理を省略するために、画像処理部２６は、プレビュー画像の画像データサイズをサムネイル画像の画像データサイズに合わせてもよい。これにより、サムネイル画像を付帯情報として記録する場合、サムネイル画像を生成する処理を省略することができる。
【００６４】
また、第１実施形態から第３実施形態では、ＲＡＷ画像データに現像処理を施す際に用いる現像パラメータを設定する例を示したが、これに限らない。例えば、ＪＰＥＧ画像データに画像処理を施す際に用いるパラメータを設定するようにしてもよい。
【００６５】
また、第１実施形態では、レリーズ釦２２の全押し操作により、一枚の画像を取得する例を示したが、これに限らない。例えば、レリーズ釦２２の全押し操作により、複数の画像を連続して取得する連写撮影にも適用できる。この場合、操作部１９は、連写撮影を終了する操作釦（不図示）を備え、連写撮影終了後もレリーズ釦２２の全押し操作を可能にする。ＣＰＵ２０は、連写撮影を終了する操作釦が操作されると、最後に取得されたＲＡＷ画像データからプレビュー画像Ｐ１を生成し、表示部１５に表示する。設定部２５は、レリーズ釦２２の全押し操作時間に応じて、第１実施形態で説明した処理を行う。画像処理部２６は、設定部２５により設定された露出補正値を用いて、連写撮影により取得した複数のＲＡＷ画像データに現像処理を施す。
【００６６】
なお、連写撮影を終了する操作釦を備えることなく、バッファメモリ１４の空き容量がなくなると、自動的に連写撮影を終了させる構成にしてもよい。この場合、設定部２５は、レリーズ釦２２の全押し操作時間に応じて、露出補正値を設定する。また、第２実施形態及び第３実施形態についても同様とする。
【００６７】
また、第１実施形態では、現像パラメータとして、露出補正値、彩度補正値、コントラスト補正値、輪郭強調補正値、ホワイトバランス補正値、色相補正値を例に挙げて説明したが、一例であり、限定されない。また、現像パラメータの初期値、最小値、最大値は一例であり、限定されない。例えば、露出補正値の初期値として−３ＥＶを設定する例を示したが、ＡＥ演算により算出された露出補正値を初期値としてもよい。また、操作部１９に初期値を指定するための操作部材を設け、ＣＰＵ２０は、この操作部材を用いて指定された値を受け初期値として設定する構成としてもよい。これにより、ユーザが任意の初期値を指定できるようになる。さらに、他の操作部材による操作により現像パラメータを変更するタイミングや、レリーズ釦２２の全押し操作時間に応じて現像パラメータを高く設定するか、又は低く設定するか等をユーザが指定し、その指定をＣＰＵ２０が受付けて設定できるようにしてもよい。また、第２実施形態及び第３実施形態についても同様とする。
【００６８】
また、第１実施形態では、色相補正値を１軸で設定する例を示したが、２軸で設定してもよい。図６は、色相補正値を２軸で設定する場合の表示部１５の例を示す図である。図６に示すように、表示部１５は、プレビュー画像Ｐ１と、カラーチャート４０、カラーチャート４０における現在の色相を示すポインター４１を表示する。カラーチャート４０の横軸は、左にいくほど赤みが強くなり、右にいくほど緑みが強くなることを示す。また、縦軸は、上にいくほど黄みが強くなり、下にいくほど青みが強くなることを示す。なお、図６に示すように、色相は、最も赤み及び青みが強い状態を初期状態とする。
【００６９】
設定部２５は、レリーズ釦２２の全押し操作時間に応じて、ポインター４１を右から左に移動させる。そして、設定部２５は、レリーズ釦２２の全押し操作が終了された後、再度レリーズ釦２２の全押し操作が開始すると、その全押し操作時間に応じて、１回目の全押し操作により移動したポインター４１を下から上に移動させる。これにより、ユーザが所望する色相を細かく設定することができる。また、第２実施形態及び第３実施形態についても同様とする。
【００７０】
また、第１実施形態から第３実施形態では、撮像装置１０を例に挙げて説明したが、これに限らない。例えば、撮像装置を備える携帯電話等にも本発明を同様に適用することができる。また、図１、４に示す機能や、図２、５に示すフローチャートに示した処理の流れをプログラムとしてコンピュータ読み取り可能な記録媒体に記録し、該プログラムをコンピュータにて実行するようにしてもよい。
【符号の説明】
【００７１】
１０…撮像装置、１２…撮像素子、１５…表示部、２０…ＣＰＵ、２５…設定部、２６…画像処理部、１９…操作部、２２…レリーズ釦
【図１】
2011228901.tif 000003
【図２】
2011228901.tif 000004
【図３】
2011228901.tif 000005
【図４】
2011228901.tif 000006
【図５】
2011228901.tif 000007
【図６】
2011228901.tif 000008